(57)【特許請求の範囲】
【請求項１】
ポンプ本体１の吸込口２に吸込流路自動切替装置３を介して吸上パイプ４を連繋させ、その吸込流路自動切替装置３には、上記吸上パイプ４を上記吸込口２へと連通させた正立流路５と、当該装置の周面適所に流路口７を有して上記吸込口２へと連通させた倒立流路６を設けるとともに、両流路５，６を姿勢に相応して自動的に切り替える流路切替手段８を講じ、また、上記ポンプ本体１にトリガー９を引くことで外部から容器体Ｂ内へと開通する外気導入路10を形成した正倒立両用ポンプにおいて、上記吸込流路自動切替装置３の外側に下端開放のエア排除筒11を被着させて、上記流路口７を液通可能に覆ったことを特徴とする正倒立両用ポンプ。
【請求項２】
上記流路切替手段８として、倒立姿勢にて上記流路口７から上記倒立流路６に流入する液体を上記正立流路５へと自然流入させる構造とし、かつ、その倒立流路６内に専ら正立姿勢で自動閉弁する流路制御弁12を装備させた請求項１記載の正倒立両用ポンプ。
【請求項３】
上記流路口７を上記吸込流路自動切替装置３の前面に設け、該吸込流路自動切替装置及び上記エア排除筒11をともに前方へと傾斜させた請求項１又は請求項２記載の正倒立両用ポンプ。
【請求項４】
上記吸込流路自動切替装置３として、底壁14から前面に外気導入溝16を有する外嵌合筒15と下端を開放した内嵌合筒17とを立設して成る基筒部13を設けて、その外嵌合筒15を上記ポンプ本体１の下端部18の内周へと嵌合連結させるとともに、その内嵌合筒17を上記ポンプ本体１の吸込口２へと嵌合連結させ、そして、その基筒部13の底壁14から上記内嵌合筒17へと開通させて上記エア排除筒11を一体に垂設し、該エア排除筒内に上述の正立流路５、倒立流路６及び流路制御弁12を有する中子19を嵌合させ、該中子の下端から上記吸上パイプ４を垂設した請求項２又は請求項３記載の正倒立両用ポンプ。
【請求項５】
上記流路口７を上記吸込流路自動切替装置３の前面に設け、また、上記基筒部13の底壁14を前高後低に傾斜させることで、上記吸込流路自動切替装置３及び上記エア排除筒11をともに前方へと傾斜させた請求項４記載の正倒立両用ポンプ。
【発明の詳細な説明】
【０００１】
【発明の属する技術分野】
本発明は、正倒立両用ポンプに関するものである。
【０００２】
【従来の技術】
トリガー式正倒立両用ポンプは、ポンプ本体の吸込口に正立流路と倒立流路とを切り替える吸込流路自動切替装置を備え、その正立流路側に吸上パイプを連繋して該吸上パイプを容器体内下部に伸出させるようにするとともに、その倒立流路を容器体内ヘッド部に開口させるようにしている。また、液体の噴出に伴う容器体内の負圧化を防止すべく、ポンプ本体にトリガーを引くことで開路する外気導入路を備えている。
このトリガー式正倒立両用ポンプは、液体を収容した容器体の口頸部に装着して使用するが、正立時には、その吸込流路自動切替装置が正立流路のみを開路させ、したがって、トリガーを操作してポンプ本体を作動させることにより、容器体内の液体が吸上パイプを通じてポンプ本体内に吸い上げられ、ノズルから噴出される。また、倒立時には、その吸込流路自動切替装置が倒立流路のみを開路させ、したがって、トリガーを操作してポンプ本体を作動させることにより、倒立に伴い容器体内ヘッド部に入った液体が倒立流路を介してポンプ本体内に吸い上げられ、ノズルから噴出される。そして、トリガーを操作する度に外気導入路が開路して、容器体内へと外気が流入し、液体の噴出に伴う容器体内の負圧化が防止される。
【０００３】
【発明が解決しようとする課題】
しかしながら、この種のトリガー式正倒立両用ポンプでは、倒立時に導入された負圧化防止用の外気が、倒立姿勢にてその容器体内ヘッド部に入った液体中に気泡となって進入し、これが本来液体のみを吸入すべき倒立流路に入り込んで、ノズルからの噴出状態を悪化させる。
そこで、本発明は、倒立時におけるポンプ本体へのこのような空気の侵入を阻止して、ノズルからの噴出状態の悪化を防ぎ、併せて、吸込流路自動切替装置を簡潔なものにしようとするものである。
【０００４】
【課題を解決するための手段】
上記目的達成のため、請求項１の発明は、ポンプ本体１の吸込口２に吸込流路自動切替装置３を介して吸上パイプ４を連繋させ、その吸込流路自動切替装置３には、上記吸上パイプ４を上記吸込口２へと連通させた正立流路５と、当該装置の周面適所に流路口７を有して上記吸込口２へと連通させた倒立流路６を設けるとともに、両流路５，６を姿勢に相応して自動的に切り替える流路切替手段８を講じ、また、上記ポンプ本体１にトリガー９を引くことで外部から容器体Ｂ内へと開通する外気導入路10を形成した正倒立両用ポンプにおいて、上記吸込流路自動切替装置３の外側に下端開放のエア排除筒11を被着させて、上記流路口７を液通可能に覆ったことを特徴とする。
【０００５】
請求項２の発明は、請求項１の正倒立両用ポンプにあって、上記流路切替手段８として、倒立姿勢にて上記流路口７から上記倒立流路６に流入する液体を上記正立流路５へと自然流入させる構造とし、かつ、その倒立流路６内に専ら正立姿勢で自動閉弁する流路制御弁12を装備させて成る。
【０００６】
請求項３の発明は、請求項１又は請求項２の正倒立両用ポンプにあって、上記流路口７を上記吸込流路自動切替装置３の前面に設け、該吸込流路自動切替装置及び上記エア排除筒11をともに前方へと傾斜させて成る。
【０００７】
請求項４の発明は、請求項２又は請求項３の正倒立両用ポンプにあって、上記吸込流路自動切替装置３として、底壁14から前面に外気導入溝16を有する外嵌合筒15と下端を開放した内嵌合筒17とを立設して成る基筒部13を設けて、その外嵌合筒15を上記ポンプ本体１の下端部18の内周へと嵌合連結させるとともに、その内嵌合筒17を上記ポンプ本体１の吸込口２へと嵌合連結させ、そして、その基筒部12の底壁14から上記内嵌合筒17へと開通させて上記エア排除筒11を一体に垂設し、該エア排除筒内に上述の正立流路５、倒立流路６及び流路制御弁12を有する中子19を嵌合させ、該中子の下端から上記吸上パイプ４を垂設して成る。
【０００８】
請求項５の発明は、請求項４の正倒立両用ポンプにあって、上記流路口７を上記吸込流路自動切替装置３の前面に設け、また、上記基筒部13の底壁14を前高後低に傾斜させることで、上記吸込流路自動切替装置３及び上記エア排除筒11をともに前方へと傾斜させて成る。
【０００９】
【発明の実施の形態】
図面は、本発明に係る正倒立両用ポンプの実施の形態を示している。
図において、Ａは、トリガー式正倒立両用ポンプ、Ｂは、該トリガー式正倒立両用ポンプを装着した容器体であり、いずれも合成樹脂製のものである。
【００１０】
トリガー式正倒立両用ポンプＡは、正倒立両用のポンプ本体１の吸込口２に吸込流路自動切替装置３を介して吸上パイプ４を嵌合連繋させ、その吸込流路自動切替装置３の周りに配してポンプ本体１の下端部18に回転自在に装備させた装着筒20により容器体Ｂの口頸部Baに着脱自在に螺着し、吸上パイプ４の下端をその容器体Ｂの内底コーナー部まで伸出させるようにしている。
ポンプ本体１は、前部からトリガー９を前後動自在に垂設し、該トリガーの背後に前方へ向けてポンプシリンダ21を配し、該ポンプシリンダ内に摺動自在に嵌合させたポンプピストン22をそのトリガーの中途部で出入摺動させるようにしている。23は、ポンプ本体１の前端に装備させたノズル、24は、吸込口２とポンプシリンダ21の間の流路に介在させた吸込弁、25は、ポンプシリンダ21とノズル23の間の流路に介在させた吐出弁である。
ポンプシリンダ21の下部には、トリガー９を引くことで外部から容器体Ｂ内へと開通する外気導入路10、すなわち、ポンプシリンダ21の下部に、出状態のポンプピストン22で閉孔、入状態のポンプピストンで開口される透孔26を穿設することで、ポンプシリンダ内前部から通じる外気導入路10を形成している。
【００１１】
吸込流路自動切替装置３には、吸上パイプ４を吸込口２へと連通させた正立流路５と、当該装置の前面にて容器体内ヘッド部へと開口する流路口７を有して上記吸込口２へと連通させた倒立流路６を設けるとともに、両流路５，６を姿勢に相応して自動的に切り替える流路切替手段８を講じ、また、吸込流路自動切替装置３の外側に下端開放のエア排除筒11を被着させて、上記流路口７を液通可能に覆っている。
流路切替手段８は、倒立姿勢にて上記流路口７から上記倒立流路６に流入する液体を上記正立流路５へと自然流入させる構造とし、かつ、その倒立流路６内に専ら正立姿勢で自動閉弁する玉弁とテーパ弁座とから成る流路制御弁12を装備させている。ただし、該流路制御弁は、倒立姿勢においてその自然流入に悪影響を与えない状態で開弁するものとする。
【００１２】
また、吸込流路自動切替装置３では、底壁14から前面に外気導入溝16を有する外嵌合筒15と下端を開放させた内嵌合筒17とを立設して基筒部13を設け、その外嵌合筒15をポンプ本体１の下端部18の内周へと嵌合連結させるとともに、その内嵌合筒17をポンプ本体１の吸込口２へと嵌合連結させ、基筒部12の底壁14から内嵌合筒17へと開通させてエア排除筒11を一体に垂設し、該エア排除筒内に上述の正立流路５、倒立流路６及び流路制御弁12を有する中子19を嵌合させ、該中子の下端に設けた嵌合垂筒27に吸上パイプ４の上端を嵌合させて垂設し、更に、基筒部13の底壁14を前高後低に傾斜させることで、上記吸込流路自動切替装置３及び上記エア排除筒11を前方へと傾斜させ、吸上パイプ４も合わせて前方へと傾斜させている。
【００１３】
如上の構成であり、容器体Ｂに液体を収容してトリガー式正倒立両用ポンプＡを作動させるが、まず、正立姿勢の場合には、吸込流路自動切替装置３において、流路制御弁12がテーパ弁座への玉弁の着座で閉弁しており、したがって、容器体Ａ内の液体が吸上パイプ４、吸込流路自動切替装置３の正立流路５を経てポンプ本体１に吸い上げられ、該ポンプ本体のノズル23から噴出される。
また、ノズル23を下にした横倒しの際には、前方へと傾斜した吸上パイプ４により、容器体Ａ内の液体が少なくなっていても残る大半が支障なく吸い上げられる。
次に、深い前倒姿勢乃至倒立姿勢の際には、吸込流路自動切替装置３において流路制御弁12がテーパ弁座からの玉弁の離間で開弁し、したがって、容器体Ａ内ヘッド部の液体が流路口７から倒立流路６を経て正立流路５へと流入し、ポンプ本体１に吸い込まれて、該ポンプ本体のノズル23から噴出される。なお、この倒立姿勢において、倒立流路６から正立流路５に至る流路が液中に没している限り、この流路へ倒立容器体Ｂ内の液体が自然流入するので、倒立容器体Ｂ内の空気が吸上パイプ４から正立流路５へと流入するようなことはない。
その深い前倒姿勢の際には、倒立流路６の流路口７が下方に位置するので、容器体Ａの液体が少なくなっていてもヘッド部内の液体は容易にポンプ本体１に吸い込まれる。
このようにして容器体Ａ内の液体がポンプ本体１に吸い込まれてノズル23から噴出されると、容器体Ａ内が負圧化して、該容器体Ａ内には外気導入路10を通じて外気が吸入される。ただし、この外気導入路10は、トリガー９の操作でポンプピストン22が押し込まれたときに開通して外気を導入し、外気導入溝16を通じて容器体Ａ内へと供給する。
【００１４】
ところで、深い前倒姿勢乃至倒立姿勢の際には、前述にように、倒立流路６が働いて、容器体Ａ内ヘッド部の液体が流路口７から倒立流路６を経て正立流路５へと流入し、ポンプ本体１に吸い込まれて、該ポンプ本体のノズル23から噴出されるが、その容器体Ａ内ヘッド部の液体中には外気導入路10を通じて導入された外気が気泡となって浮上し、流路口７の近くを通過するが、このとき流路口７を覆っているエア排除筒11が流路口７へ侵入するのを阻止する。
【００１５】
【発明の効果】
請求項１乃至請求項５の各発明によれば、吸込流路自動切替装置３の外側に下端開放のエア排除筒11を被着させて、流路口７を液通可能に覆っているので、深い前倒姿勢乃至倒立姿勢で、倒立流路６を働かせて使用した際にも、外気導入路10から容器体Ａ内ヘッド部の液体中へと流入した外気が流路口７に侵入するようなことはなく、したがって、ノズル23からの液体の噴出に悪影響が及ぶことはなく、常に良好な噴出を得ることができる。
【００１６】
加えて、請求項２の発明によれば、吸込流路自動切替装置３の流路切替手段８として、倒立姿勢にて流路口７から倒立流路６に流入する液体を正立流路５へと自然流入させる構造とし、かつ、その倒立流路６内に専ら正立姿勢で自動閉弁する流路制御弁12を装備させているので、吸込流路自動切替装置３には一つの流路制御弁12を設ければ足り、従来にように二つの流路制御弁を要しないから、構造を簡潔にすることができ、製作を容易にすることができて、コストを低減できる。
【００１７】
請求項３の発明によれば、流路口７を吸込流路自動切替装置３の前面に設け、吸込流路自動切替装置３及びエア排除筒11をともに前方へと傾斜させているので、吸上パイプ４の下端及び倒立流路６の流路口７を前方へと寄せることができ、容器体Ａ内の液体が少量になったときにも、横倒しの際にはその吸上パイプ４を用いて、また、深い前倒姿勢の際には倒立流路６を用いて、その液体を十分にポンプ本体１へと吸い込ませることができる。
【００１８】
請求項４、請求項５の発明によれば、吸込流路自動切替装置３として、底壁14から前面に外気導入溝16を有する外嵌合筒15と下端を開放した内嵌合筒17とを立設して成る基筒部13を設け、その外嵌合筒15をポンプ本体１の下端部18の内周へと嵌合連結させるとともに、内嵌合筒17をポンプ本体１の吸込口２へと嵌合連結させ、基筒部13の底壁14から内嵌合筒17へと開通させてエア排除筒11を一体に垂設し、該エア排除筒内に上述の正立流路５、倒立流路６及び流路制御弁12を有する中子19を嵌合させているから、吸込流路自動切替装置３乃至エア排除筒11を３部材の嵌合又は遊挿で簡潔に構成でき、その組み立ては容易であり、安価に提供できる。また、中子19の下端から吸上パイプ４を垂設しているので、該吸上パイプと正立流路５の連繋も簡潔かつ容易にすることができる。
【００１９】
更に、請求項５の発明によれば、吸込流路自動切替装置３の流路口７を前面に設け、また、請求項４の吸込流路自動切替装置３にあって、基筒部13の底壁14を前高後低に傾斜させることで、吸込流路自動切替装置３及びエア排除筒11をともに前方へと傾斜させているので、それらの前方への傾斜を簡単かつ的確に得ることができ、この傾斜についての設計も製作も頗る容易である。
【図面の簡単な説明】
【図１】  本発明に係る実施の形態を示す截断側面図である。
【図２】  同要部の下面図である。
【図３】  同要部部材の前方の側から見た斜視図である。
【図４】  同要部部材の後方の側から見た斜視図である。
【符号の説明】
Ａ…トリガー式正倒立両用ポンプ  Ｂ…容器体
Ba…口頸部
１…ポンプ本体                  ２…吸込口
３…吸込流路自動切替装置        ４…吸上パイプ
５…正立流路                    ６…倒立流路
７…流路口                      ８…流路切替手段
９…トリガー                    10…外気導入路
11…エア排除筒                  12…流路制御弁
13…基筒部                      14…底壁
15…外嵌合筒                    16…外気導入溝
17…内嵌合筒                    18…下端部
19…中子                        20…装着筒
21…ポンプシリンダ              22…ポンプピストン
23…ノズル                      24…吸込弁
25…吐出弁                      26…透孔
27…嵌合垂筒
【図１】
0003771068.tif 000002
【図２】
0003771068.tif 000003
【図３】
0003771068.tif 000004
【図４】
0003771068.tif 000005